(57)【要約】【課題】録画処理の完了を待つことなく、録画中データに対する編集処理を施すことが可能な記録再生装置を提供する。【解決手段】タイムシフト機能を備えた映像再生装置において、タイムシフト再生中に、録画中データに対する編集指示を受け付ける。入力された編集指示は一時的にハードディスク等の記憶装置に記憶される。そして録画処理およびタイムシフト再生処理が完了した段階で、記憶装置に記憶されている編集指示が自動的に録画データに対して反映される。編集指示としては、例えばチャプター設定指示、或いは手動による映像情報の一部削除指示が受け付けられる。受け付けられた指示は、反映前であれば何度でも変更可能とする。【選択図】図１
2007310955.tif 000002
【特許請求の範囲】
【請求項１】
映像及び音声を含む映像情報をハードディスクに記録させる記録手段と、
前記記録手段を用いた前記映像情報の記録中に、記録中の前記映像情報の再生を並行して行う並行再生手段と、
を備えた記憶再生装置であって、
前記並行再生手段を用いた前記映像情報の再生中に、再生中の前記映像情報に対する編集操作を受け付ける編集部と、
前記編集部による指示内容を前記ハードディスクに記憶させる記憶部と、
前記記録手段および前記並行再生手段が完了した時点で、前記ハードディスクに記憶されている前記指示内容を前記映像情報に対して反映する反映部と、
を備えており、
前記編集部が、前記映像情報に対するチャプター区切りを設定可能であり、
また前記編集部が、前記映像情報の一部或いは全部を削除するための削除範囲を設定可能であるとともに、
前記反映部が、前記削除範囲の反映を行う際に、前記削除範囲の前後の映像情報を連結させること、
を特徴とする記憶再生装置。
【請求項２】
映像及び音声を含む映像情報を記録装置に記録させる記録手段と、
前記記録手段を用いた前記映像情報の記録中に、記録中の前記映像情報の再生を並行して行う並行再生手段と、
を備えた記録再生装置であって、
前記並行再生手段を用いた前記映像情報の再生中に、再生中の前記映像情報に対する編集操作を受け付ける編集部と、
前記編集部による指示内容を前記記憶装置に記憶させる記憶部と、
前記記録手段および前記並行再生手段が完了した時点で、前記記憶装置に記憶されている前記指示内容を前記映像情報に対して反映する反映部と、
を備えたことを特徴とする記録再生装置。
【請求項３】
前記編集部が、前記映像情報に対するチャプター区切りを設定可能であること
を特徴とする請求項２に記載の記録再生装置。
【請求項４】
前記編集部が、前記映像情報の一部或いは全部を削除するための削除範囲を設定可能であるとともに、
前記反映部が、前記削除範囲の反映を行う際に、前記削除範囲の前後の映像情報を連結させること、
を特徴とする請求項２または請求項３に記載の記録再生装置。
【請求項５】
映像及び音声を含む映像情報をハードディスクに記録させる記録工程と、
前記記録工程を用いた前記映像情報の記録中に、記録中の前記映像情報の再生を並行して行う並行再生工程と、
を有する記録再生方法であって、
前記並行再生工程による前記映像情報の再生中に、再生中の前記映像情報に対する編集操作を受け付ける編集部と、
前記編集部による指示内容を前記ハードディスクに記憶させる記憶部と、
前記記録工程および前記並行再生工程が完了した時点で、前記ハードディスクに記憶されている前記指示内容を前記映像情報に対して反映する反映部と、
を有し、
前記編集部が、前記映像情報に対するチャプター区切りを設定可能であり、
また前記編集部が、前記映像情報の一部或いは全部を削除するための削除範囲を設定可能であるとともに、
前記反映部が、前記削除範囲の反映を行う際に、前記削除範囲の前後の映像情報を連結させること、
を特徴とする記録再生方法。
【請求項６】
映像及び音声を含む映像情報を記録装置に記録させる記録工程と、
前記記録工程による前記映像情報の記録中に、記録中の前記映像情報の再生を並行して行う並行再生工程と、
を有する記録再生方法であって、
前記並行再生工程による前記映像情報の再生中に、再生中の前記映像情報に対する編集操作を受け付ける編集部と、
前記編集部による指示内容を前記記憶装置に記憶させる記憶部と、
前記記録工程および前記並行再生工程が完了した時点で、前記記憶装置に記憶されている前記指示内容を前記映像情報に対して反映する反映部と、
を有することを特徴とする記録再生方法。
【請求項７】
前記編集部が、前記映像情報に対するチャプター区切りを設定可能であること
を特徴とする請求項６に記載の記録再生方法。
【請求項８】
前記編集部が、前記映像情報の一部或いは全部を削除するための削除範囲を設定可能であるとともに、
前記反映部が、前記削除範囲の反映を行う際に、前記削除範囲の前後の映像情報を連結させること、
を特徴とする請求項６または請求項７に記載の記録再生方法。
【発明の詳細な説明】
【技術分野】
【０００１】
本発明は、映像情報の記録および再生が可能な記録再生装置および記録再生方法に関するものであり、特に記録処理中の映像情報の再生を可能としたタイムシフト機能を備える記録再生装置および記録再生方法に関する。
【背景技術】
【０００２】
近年、テレビ等の映像装置において処理される映像および音声の記録および再生を行うための装置として、ＤＶＤ（Digital Versatile Disk）レコーダまたはＨＤＤ（Hard Disk Drive）レコーダ等のデジタル方式による記録再生装置が広く普及してきている。これらのデジタル方式の記録再生装置の機能の一つとして、タイムシフト機能がある。タイムシフト機能とは、コンテンツ（映像情報）の録画を行いながら並行して現在録画中のコンテンツの再生を行うことを可能とした機能である。
【０００３】
タイムシフト機能を用いれば、ユーザは録画中のコンテンツの録画済みのシーン（例えばサッカーであれば、試合開始のシーン等）から再生を開始するとともに、録画処理も継続して行うことが可能である。これにより例えばサッカーの試合を録画している場合などにおいて、録画の完了（例えば試合終了）を待つことなく、好きな時に試合開始のシーンから鑑賞を行うことが可能となる。
【０００４】
上記のタイムシフト機能を用いた再生画面の一例を、図６を用いて説明する。図６は、従来のＨＤＤレコーダのタイムシフト機能による再生（以下、「タイムシフト再生」という）を行う際に表示される情報表示ウインドウの一例を示している。情報表示ウインドウは、ＯＳＤ（on-screen display）機能によって表示画面を操作可能にしている。図６に示されている情報表示ウインドウは、少なくとも状態表示アイコン３１、録画終了位置３２、録画現在位置３３、および再生位置３４を含むように構成されている。
【０００５】
状態表示アイコン３１は、現在の録画状況（録画中、一時停止、停止など）を示すためのアイコンである。この例では丸印が録画中を示すようになっている。録画終了位置３２は、予約録画処理などにおいて予約録画が終了する終端を示した位置である。なお録画終端位置３２は、録画処理中に変更可能であってもよい。録画現在位置３３は、ＨＤＤレコーダの現在の録画位置を録画開始点と録画終端位置３２とを用いて相対的に表した位置である。再生位置３４は、タイムシフト機能を用いて再生している再生位置を、録画開始点、録画終端位置３２、および録画現在位置３３を用いて相対的に表した位置である。
【０００６】
上記情報表示ウインドウを用いてタイムシフト再生を行う場合、ユーザーはリモコン装置等の入力装置を用いて再生位置３４の移動命令を入力する。入力された命令をもとに再生位置３４が一定の範囲内（録画開始点から録画現在位置３３までの間）で移動することにより、再生位置３４が示す部分の映像情報が再生表示される。これによりユーザーは録画処理中であっても、録画処理中の映像情報の鑑賞が可能となる。
【０００７】
上記のようなタイムシフト機能に関連して特許文献１では、タイムシフト再生時に、現在の記録位置から再生位置までの時間差を視聴者が容易に認識できる映像信号記録再生装置が開示されている。特許文献１の映像信号記録再生装置は、再生位置の時間的な表示を、現在の録画位置から再生位置の時間的な差で表しかつ、段階的にできるだけ簡素な形式で表示することと、特定の録画予定時間を全体枠として録画時間と再生位置を図示することとを特徴としている。これにより、視聴者が録画時間および再生時間を容易に認識することが可能である。
【０００８】
また上記のタイムシフト機能に関連して特許文献２では、記録終了までに再生部分が記録部分に追いつくことができる記録再生装置が開示されている。特許文献２の記録再生装置は、通常再生の途中でタイムシフト再生指示を受け付けると、現時点の再生部分の録画時刻、現在時刻、および所望の放送番組の放送終了時刻がＣＰＵによって検出される。ＣＰＵは、検出した録画時刻、現在時刻および放送終了時刻に基づいて最適再生速度を決定し、当該最適再生速度でタイムシフト再生を行う。これにより、放送終了までに再生部分が録画部分に追いつくことが可能となる。
【特許文献１】特開２００４−１７２８１２号公報
【特許文献２】特開２００３−１７９８４５号公報
【発明の開示】
【発明が解決しようとする課題】
【０００９】
しかしながら、上記従来の記録再生装置によると、録画した不要なシーンのカット等は録画の終了後に再生しながら行われる。このため、タイムシフト再生で視聴した映像を再度再生するための時間を浪費し、記録再生装置の利便性が悪い問題があった。
【００１０】
本発明は利便性を向上できる記録再生装置及び記録再生方法を提供することを目的とする。
【課題を解決するための手段】
【００１１】
上記目的を達成するために本発明の記録再生装置は、映像及び音声を含む映像情報を記録装置に記録させる記録手段と、前記記録手段を用いた前記映像情報の記録中に、記録中の前記映像情報の再生を並行して行う並行再生手段とを備えた記録再生装置であって、前記並行再生手段を用いた前記映像情報の再生中に、再生中の前記映像情報に対する編集操作を受け付ける編集部と、前記編集部による指示内容を前記記憶装置に記憶させる記憶部と、前記記録手段および前記並行再生手段が完了した時点で、前記記憶装置に記憶されている前記指示内容を前記映像情報に対して反映する反映部とを備えたことを特徴としている。
【００１２】
これによると、タイムシフト再生機能（並行再生手段）の実施中に、録画中データに対する編集指示をユーザーより受け付ける（編集部）。受け付けた編集指示は一時的にハードディスク（記憶装置）に記憶される（記憶部）。そして録画処理およびタイムシフト再生処理が完了した段階で、記憶装置に記憶されている編集指示（例えばシーン削除指示等）が自動的に録画データに対して反映される（反映部）。
【００１３】
また、上記目的を達成するために本発明の記録再生装置は、前記編集部が、前記映像情報に対するチャプター区切りを設定可能であることを特徴としている。
【００１４】
これによると、タイムシフト再生中に録画中データに対するチャプター区切りの設定指示を受け付ける。受け付けたチャプター区切りは、一時的にハードディスクに記憶される。そして録画処理およびタイムシフト再生処理が完了した段階で、録画データに対して反映される。
【００１５】
また、上記目的を達成するために本発明の記録再生装置は、前記編集部が、前記映像情報の一部或いは全部を削除するための削除範囲を設定可能であるとともに、前記反映部が、前記削除範囲の反映を行う際に、前記削除範囲の前後の映像情報を連結させることを特徴としている。
【００１６】
これによると、タイムシフト再生中に録画中データに対するシーン削除（手動による映像情報の一部削除）を受け付ける。受け付けた削除範囲の始点および終点は、一時的にハードディスクに記憶される。そして録画処理およびタイムシフト再生処理が完了した段階で、始点および終点で示された範囲の映像データが、録画データより消去される。消去された前後の録画データは連結されるため、複数の映像データに分割されることなく、単一の映像データとしてその後も処理される。
【発明の効果】
【００１７】
本発明によれば、タイムシフト再生中に、録画中データに対する編集指示がユーザーにより入力される。入力された編集指示は一時的にハードディスク等の記憶装置に記憶される。そして録画処理およびタイムシフト再生処理が完了した段階で、記憶装置に記憶されている編集指示が自動的に録画データに対して反映される。このためユーザーは、録画データに対する編集を行う場合に、録画完了まで待つ必要がなく、作業時間を有効に活用することが可能である。また、録画完了までに、何度でも編集処理のやり直しを行うことができるため、ユーザーにとっての利便性が向上する。
【００１８】
また本発明によれば、タイムシフト再生中に録画中データに対するチャプター区切りの設定指示が行なわれる。入力されたチャプター区切りは、一時的にハードディスク等の記憶装置に記憶される。そして録画処理およびタイムシフト再生処理が完了した段階で、録画データに対して反映される。このためユーザーは、録画処理の完了を待つことなくチャプター設定を行うことが可能であるため、作業時間を有効に活用することが可能である。また、録画完了までであれば、何度でもチャプター設定のやり直しを行うことができるため、ユーザーにとっての利便性が向上する。
【００１９】
また本発明によれば、タイムシフト再生中に録画中データに対するシーン削除が行われる。ユーザーにより入力された削除範囲の始点および終点は、一時的にハードディスク等の記憶装置に記憶される。そして録画処理およびタイムシフト再生処理が完了した段階で、始点および終点で示された範囲の映像データが、録画データより消去される。消去された前後の録画データは連結されるため、複数の映像データに分割されることなく、単一の映像データとしてその後も処理される。このためユーザーは、録画処理の完了を待つことなく、シーン削除処理を行うことが可能であるため、作業時間を有効に活用することが可能である。また、何度でもシーン削除のやり直しを行うことができるため、ユーザーにとっての利便性が向上する。
【発明を実施するための最良の形態】
【００２０】
本発明の実施の一形態について、図面に基づいて説明すれば、以下の通りである。なお、ここで示す実施形態は一例であり、本発明はここに示す実施形態に限定されるものではない。
【００２１】
［実施の形態１］
〈１−１．ＨＤＤレコーダの内部構成について〉
ここで、本発明の第一の実施形態におけるＨＤＤレコーダ（記録再生装置）１の電気回路システムの要部構成を、図２のブロック図を用いながら説明する。
【００２２】
図２のブロック図に示すように、本発明のＨＤＤレコーダ１は、少なくとも、制御部１１、メモリ１２、ＨＤＤ１３、データ入力部１４、エンコーダ部１５、デコーダ部１６、データ出力部１７、タイマー１８、ＯＳＤ生成部１９、操作ボタン群２１、およびフロントパネル２２を含むように構成されている。
【００２３】
制御部１１は、ＨＤＤレコーダ１の各部材の駆動を有機的に制御することにより映像情報処理（コンテンツの録画、或いは再生等）を統括制御するための中央処理装置である。また制御部１１は、各装置（例えばＨＤＤ１３等）の制御やデータの計算、加工処理等を行なう中枢部分となっている。
【００２４】
メモリ１２は、ＨＤＤレコーダ１が保持する各種データを一時的に記憶する媒体であり、例えば書込可能なＲＡＭ（Random Access Memory）等により構成されている。メモリ１２は、例えば制御部１１によって各種情報処理が行われる際の処理データや、ユーザーから受けた指示命令等を一時的に記憶しておくためのバッファメモリとしての役割を持つ。
【００２５】
ＨＤＤ１３（記録装置）は、ＨＤＤレコーダ１が保持する各種データ（映像データ、および管理データ等）を記録するための磁気記憶媒体である。なお、ＨＤＤ１３は、複数の領域（パーティション）に物理的に分割されており、記憶するデータの種別（映像データ、管理データ等）に応じて領域別に記憶することがより望ましい。
【００２６】
データ入力部１４は、例えばデジタルチューナーなどの外部装置からデジタルデータ（映像情報）を入力するための入力インタフェースである。また、例えばアナログデータを入力する場合は、Ａ／Ｄコンバータ（Analog Digital Converter）を用いてアナログの映像データおよび音声データをデジタルデータに変換して入力することが可能である。
【００２７】
エンコーダ部１５は、映像データをＭＰＥＧ２等の動画圧縮方式により圧縮（エンコード）を行ったり、音声データをＤｏｌｂｙ  ＡＣ−３やＬＰＣＭ等の音声圧縮方式により圧縮を行うための処理回路である。なお、圧縮を行うデータとしては、例えばデータ入力部１４より入力された映像データおよび音声データ等が対象となる。
【００２８】
デコーダ部１６は、前記エンコーダ部１５等により圧縮された映像データおよび音声データを伸長（デコード）して映像信号或いは音声信号を生成するための処理回路である。生成された各種信号は、例えば後述するデータ出力部１７等を用いて外部機器に対して出力される。
【００２９】
データ出力部１７は、例えばモニターなどの外部装置に対して映像データおよび音声データを出力するための出力インタフェースである。なお、例えば出力先の機器がアナログインタフェースしか備えていない場合は、Ｄ／Ａコンバータ（Digital Analog Converter）を用いてデジタルの映像データおよび音声データをアナログデータに変換して出力することが可能である。
【００３０】
タイマー１８は、現在時刻を常時カウントするための刻時用回路であり、例えばユーザーに対する現在時刻の通知や、録画予約機能における録画処理開始のトリガー等として用いられる。
【００３１】
ＯＳＤ生成部１９は、デコーダ部１６で生成された映像信号をもとに情報表示ウインドウを作成するための回路である。ＯＳＤ生成部１９は、前記映像信号により表示される画面内の所定の位置に、情報表示ウインドウを映像が透ける形式（アルファブレンディング）で重ね合わせる。或いは、所定の位置の映像情報を情報表示ウインドウで差し替えた映像信号を作成する。なお、本発明の情報表示ウインドウの詳細については後述する。
【００３２】
操作ボタン群２１は、ユーザーが番組の録画および録画予約等の各種指示をＨＤＤレコーダ１に対して行なうための入力インターフェースである。フロントパネル２２は、ＨＤＤレコーダ１の各種情報をユーザーに対して表示するための出力インタフェースである。
【００３３】
〈１−２．情報表示ウインドウについて〉
ここで、本発明のＨＤＤレコーダ１におけるＯＳＤ生成部１９により表示される情報表示ウインドウについて、図３の画面図を用いながら説明する。
【００３４】
図３は、本発明のＨＤＤレコーダ１が備えるＯＳＤ機能を用いてタイムシフト再生を行う際に表示される、情報表示ウインドウの一例である。なお、図６に示す従来の情報表示ウインドウと同内容の構成要素については、同じ符号番号を付加することにより、説明を省略するものとする。図３に示されているように、本発明のＨＤＤレコーダ１の情報表示ウインドウは、少なくとも状態表示アイコン３１、録画終了位置３２、録画現在位置３３、再生位置３４、チャプターマーカー３５、削除始点３６ａ、削除終点３６ｂ、および削除範囲３７を含むように構成されている。
【００３５】
チャプターマーカー３５は、録画中の映像情報に対してチャプター区切りを設定するためのマーカーである。チャプターマーカー３５は、映像情報の録画開始位置から録画現在位置３３の間の任意の位置に、複数個設定することが可能である。
【００３６】
削除始点３６ａは、映像情報から削除したいシーンの始点を手動で設定するためのマーカーである。また、削除終点３６ｂは、映像情報から削除したいシーンの終点を手動で設定するためのマーカーである。削除始点３６ａおよび削除終点３６ｂを用いて指定された範囲は削除範囲３７となる。従ってＯＳＤ生成部１９より生成される情報表示ウインドウは、ユーザーによるチャプターマーカー３５、削除始点３６ａ、及び削除終点３６ｂの編集操作が可能な編集部を構成する。
【００３７】
削除範囲３７のシーンは録画処理完了後に自動的に削除されると共に、その前後のシーンが連結される。これにより、映像情報が途中で断裂することなく、一つの映像情報として扱われる。
【００３８】
〈１−３．タイムシフト中編集処理について〉
ここで、本発明のＨＤＤレコーダ１におけるタイムシフト再生中の編集処理を、図１のフロー図、図２のブロック図、および図３の画面図を用いながら説明する。
【００３９】
図１は、本発明のタイムシフト中編集処理の処理フローを示したフローチャートである。図１に示すように本処理は、制御部１１が映像情報の録画開始命令を検知することにより開始される。録画開始命令を検知した制御部１１は、データ入力部１４より入力された映像情報の録画処理（記録手段）を実行する。なお、録画開始命令は、例えばユーザーが操作ボタン群２１を用いて録画操作を行った場合や、また例えばあらかじめ設定されている録画予約の録画開始時刻になったことをタイマー１８が検知することにより、発行される。
【００４０】
録画開始命令を検知した制御部１１は、次に、録画処理が完了したかどうかのチェックを行う（Ｓ１１０）。録画処理が完了した場合（例えば予約録画において、録画停止時刻になった場合）、本処理を終了する。録画処理が完了していない場合、制御部１１は、タイムシフト再生命令が検知されるかどうかのチェックを行う（Ｓ１２０）。なお、タイムシフト再生命令は、例えばタイムシフト命令が検知されない場合、前記Ｓ１１０の処理に移行することにより、継続して前記Ｓ１１０および前記Ｓ１２０のチェックを行う。
【００４１】
前記Ｓ１２０において、タイムシフト再生命令が検知された場合、制御部１１は、デコーダ部１６で作成された映像情報と、ＯＳＤ生成部１９により作成された情報表示ウインドウとを、データ出力部１７を用いて外部の表示装置（例えばモニター等）に出力を行う。この結果、例えば図６に示すような、映像および情報表示ウインドウが重複表示された画面が出力される。
【００４２】
上記画面において、ユーザーは操作ボタン群２１等を用いて、再生位置３４を、録画開始位置から録画終了位置３２の間で任意に移動させることができる。これに伴い制御部１１は、再生位置３４が示す位置より映像情報の再生処理を開始する（Ｓ１３０）。なお、タイムシフト再生中であれば、再生位置３４の移動は何度でも行うことが可能である。
【００４３】
次に制御部１１は、チャプタ設定命令を受け付ける状態に入る。この状態に入った制御部１１は、チャプタ設定命令を検知したかどうかの監視を継続的に行う（Ｓ１４０）。従ってＳ１４０は、タイムシフト再生中に映像情報に対するチャプタ設定命令（編集操作）を受け付ける編集部を構成する。なお、チャプタ設定命令は、ユーザーが操作ボタン群２１等を用いてチャプター指定操作を行った場合等に発行される。
【００４４】
チャプタ設定命令を検知した制御部１１は、現在再生されている位置（或いは一時停止されている位置）に対して、チャプターマーカー３５を設定する。設定されたチャプターマーカー３５の情報は、メモリ１２或いはＨＤＤ１３等の記憶装置に一時的に記憶される（Ｓ１５０）。従ってＳ１５０は、チャプターマーカー３５をＨＤＤ１３に記憶させる記憶部を構成する。
【００４５】
次に制御部１１は、削除開始点設定命令を受け付ける状態に入る。この状態に入った制御部１１は、削除開始点設定命令を検知したかどうかの監視を継続的に行う（Ｓ１６０）。従ってＳ１６０は、タイムシフト再生中に映像情報に対する削除開始点設定命令（編集操作）を受け付ける編集部を構成する。削除開始点設定命令は、ユーザーが操作ボタン群２１等を用いて削除範囲指定操作を行った場合等に発行される。
【００４６】
削除開始点設定命令を検知した制御部１１は、現在再生されている位置（或いは一時停止されている位置）に対して、削除始点３６ａを設定する。設定された削除始点３６ａの情報は、メモリ１２或いはＨＤＤ１３等の記憶装置に一時的に記憶される（Ｓ１７０）。従ってＳ１７０は、削除始点３６ａをＨＤＤ１３に記憶させる記憶部を構成する。逆に削除開始点設定命令が検知されなかった場合、後述するＳ２００の処理に移行する。
【００４７】
次に制御部１１は、削除終点設定命令を受け付ける状態に入る。この状態に入った制御部１１は、削除開始点設定命令を検知したかどうかの監視を継続的に行う（Ｓ１８０）。従ってＳ１８０は、タイムシフト再生中に映像情報に対する削除終点設定命令（編集操作）を受け付ける編集部を構成する。削除終点設定命令は、ユーザーが操作ボタン群２１等を用いて削除範囲指定操作を行った場合等に発行される。
【００４８】
削除終点設定命令を検知した制御部１１は、現在再生されている位置（或いは一時停止されている位置）に対して、削除終点３６ｂを設定する。設定された削除終点３６ｂの情報は、メモリ１２或いはＨＤＤ１３等の記憶装置に一時的に記憶される（Ｓ１９０）。従ってＳ１９０は、削除終点３６ｂをＨＤＤ１３に記憶させる記憶部を構成する。削除終点設定命令が検知されなかった場合、引き続き前記Ｓ１８０の処理を行い、削除終点設定命令が検知されるのを待ち受ける。
【００４９】
次に制御部１１は、タイムシフト再生の停止命令を検知したかどうかの確認を行う（Ｓ２００）。停止命令は、ユーザーが操作ボタン群２１等を用いてタイムシフト再生の停止操作を行った場合等に発行される。停止命令を検知しなかった場合、前記Ｓ１４０の処理に移行する。
【００５０】
逆に停止命令を検知した場合、制御部１１は、現在行われている録画処理が完了したかどうかの確認を行う（Ｓ２１０）。完了していない場合、前記Ｓ１２０の処理に移行する。完了している場合、前記Ｓ１５０、Ｓ１７０、Ｓ１９０の処理において行われた各種設定を、録画データに対して反映し、本処理を終了する（Ｓ２２０）。従ってＳ２２０は、前記Ｓ１５０、Ｓ１７０、Ｓ１９０からなる記憶部により記憶された各種設定を反映させる反映部を構成する。例えば図３に示す例では、二つのチャプター区切りが設定され、なおかつ一つの削除範囲の映像情報が削除されることとなる。
【００５１】
［実施の形態２］
〈２−１．ＨＤＤレコーダの内部構成について〉
実施の形態１と同内容であるため、ここでは説明を省略する。
【００５２】
〈２−２．情報表示ウインドウについて〉
ここで、本実施形態のＨＤＤレコーダ１におけるＯＳＤ生成部１９により表示される情報表示ウインドウについて、図５の画面図を用いながら説明する。
【００５３】
図５は、本発明のＨＤＤレコーダ１が備えるＯＳＤ機能を用いてタイムシフト再生を行う際に表示される、情報表示ウインドウの一例である。なお、図３および図６に示す情報表示ウインドウと同内容の構成要素については、同じ符号番号を付加することにより説明を省略するものとする。図５に示されているように本実施形態のＨＤＤレコーダ１の情報表示ウインドウは、少なくとも状態表示アイコン３１、録画終了位置３２、録画現在位置３３、再生位置３４、削除範囲３７、およびマーカー３８を含むように構成されている。
【００５４】
マーカー３８はチャプター区切りや削除範囲を指定するために使用されるマークであり、映像情報の録画開始位置から録画現在位置３３の間の任意の位置に複数個設定することが可能である。マーカー３８はそれ単体では機能を持たず、後でチャプター区切りに変換されたり、または削除範囲を指定するための始点或いは終点として用いられたりする。従ってＯＳＤ生成部１９より生成される情報表示ウインドウは、ユーザーによるマーカー３８の編集操作が可能な編集部を構成する。
【００５５】
〈２−３．タイムシフト中編集処理について〉
ここで、本発明の第二の実施形態における、ＨＤＤレコーダ１のタイムシフト再生中の編集処理を、図２のブロック図、図４のフロー図、および図５の画面図を用いながら説明する。
【００５６】
図４は、本発明のタイムシフト中編集処理の処理フローを示したフローチャートである。なお、実施の形態１の図１と同内容の処理については、同じ処理番号を付加することにより説明を省略するものとする。
【００５７】
図４に示すように、Ｓ１１０からＳ１３０の処理については、実施の形態１と同内容であるため、説明を省略する。Ｓ１３０によりタイムシフト再生を開始した制御部１１は、次にマーカー設定命令を受け付ける状態に入る。この状態に入った制御部１１は、チャプタ設定命令を検知したかどうかの監視を継続的に行う（Ｓ１４０ａ）。従ってＳ１４０ａは、タイムシフト再生中に映像情報に対するチャプタ設定命令（編集操作）を受け付ける編集部を構成する。マーカー設定命令は、ユーザーが操作ボタン群２１等を用いてマーカー作成操作を行った場合等に発行される。
【００５８】
マーカー設定命令を検知した制御部１１は、現在再生されている位置（或いは一時停止されている位置）に対して、マーカー３８を設定する。設定されたマーカー３８の情報は、メモリ１２或いはＨＤＤ１３等の記憶装置に一時的に記憶される（Ｓ１５０ａ）。従ってＳ１５０ａは、マーカー３８をＨＤＤ１３に記憶させる記憶部を構成する。
【００５９】
次に制御部１１は、削除範囲指定命令を受け付ける状態に入る。この状態に入った制御部１１は、削除範囲指定命令を検知したかどうかの監視を継続的に行う（Ｓ１６０ａ）。従ってＳ１６０ａは、タイムシフト再生中に映像情報に対する削除範囲指定命令（編集操作）を受け付ける編集部を構成する。削除範囲指定命令は、ユーザーが操作ボタン群２１等を用いて削除範囲指定操作を行った場合等に発行される。具体的には、既に設定されている複数のマーカー３８から、任意のマーカー３８を複数個選択する操作が行われる。
【００６０】
削除範囲指定命令を受けた制御部１１は、選択された複数のマーカー３８により挟まれている範囲を、削除範囲３７に設定する。設定された削除範囲３７の情報は、メモリ１２或いはＨＤＤ１３等の記憶装置に一時的に記憶される（Ｓ１７０ａ）。従ってＳ１７０ａは、削除範囲３７をＨＤＤ１３に記憶させる記憶部を構成する。例えば図５に示す例では、マーカー３８ｂとマーカー３８ｃとで挟まれる範囲を削除範囲３７として記憶する。
【００６１】
次に制御部１１は、チャプタ設定命令を受け付ける状態に入る。この状態に入った制御部１１は、チャプタ設定命令を検知したかどうかの監視を継続的に行う（Ｓ１８０ａ）。従ってＳ１８０ａは、タイムシフト再生中に映像情報に対するチャプタ設定命令（編集操作）を受け付ける編集部を構成する。チャプタ設定命令は、ユーザーが操作ボタン群２１等を用いてチャプタ指定操作を行った場合等に発行される。具体的には、既に設定されているマーカー３８から、任意のマーカー３８を選択する操作が行われる。
【００６２】
チャプタ設定命令を受けた制御部１１は、選択されたマーカー３８が示す位置をチャプタ区切りに設定する。設定されたチャプタ区切りの情報は、メモリ１２或いはＨＤＤ１３等の記憶装置に一時的に記憶される（Ｓ１９０ａ）。従ってＳ１９０ａは、チャプタ区切りをＨＤＤ１３に記憶させる記憶部を構成する。例えば図５に示す例では、マーカー３８ａとマーカー３８ｄとをチャプタ区切りとして記憶することが可能である。
【００６３】
次に制御部１１は、タイムシフト再生の停止命令を検知したかどうかの確認を行う（Ｓ２００ａ）。停止命令は、ユーザーが操作ボタン群２１等を用いてタイムシフト再生の停止操作を行った場合等に発行される。停止命令を検知しなかった場合、前記Ｓ１３０の処理に移行する。
【００６４】
逆に停止命令を検知した場合、制御部１１は、現在行われている録画処理が完了したかどうかの確認を行う（Ｓ２１０ａ）。完了していない場合、前記Ｓ１２０の処理に移行する。完了している場合、前記Ｓ１５０ａ、Ｓ１７０ａ、Ｓ１９０ａの処理において行われた各種設定を、録画データに対して反映し、本処理を終了する（Ｓ２２０ａ）。従ってＳ２２０は、前記Ｓ１５０ａ、Ｓ１７０ａ、Ｓ１９０ａからなる記憶部により記憶された各種設定を反映させる反映部を構成する。例えば図５に示す例では、二つのマーカー３８（マーカー３８ａおよびマーカー３８ｄ）がチャプター区切りに設定され、なおかつ一つの削除範囲（削除範囲３７）の映像情報が削除されることとなる。
【００６５】
［その他の実施の形態］
以上、好ましい実施の形態及び実施例をあげて本発明を説明したが、本発明は必ずしも上記実施の形態及び実施例に限定されるものではなく、その技術的思想の範囲内において様々に変形して実施することができる。
【００６６】
例えば前述した実施形態の機能を実現するソフトウェアのプログラムコードを記録した記憶媒体を、ＨＤＤレコーダ１に供給し、そのＨＤＤレコーダ１内のコンピュータ（例えばＣＰＵ）が記憶媒体に格納されたプログラムコードを読出し実行することによっても、達成されることは言うまでもない。
【００６７】
この場合、記憶媒体から読出されたプログラムコード自体が、前述した実施形態の機能を実現することになり、そのプログラムコードを記憶した記憶媒体は本発明を構成することになる。
【００６８】
なお、プログラムコードを供給するための記憶媒体としては、例えば、フロッピディスク、ＨＤＤ、光ディスク、光磁気ディスク、磁気テープ、不揮発性のメモリカード、ＲＯＭなどを用いることができる。
【００６９】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００７０】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００７１】
また、本発明の映像情報処理方法が、ＨＤＤレコーダ以外の記録再生装置において用いられたとしても、同様の効果がえられることは言うまでもない。なお、記録再生装置としては、例えばＤＶＤレコーダ、ＤＶレコーダ、パソコン、デジタルビデオカメラなどが挙げられる。
【００７２】
また、本実施の形態においては、タイムシフト再生中に映像情報に対して行う編集処理としてチャプター設定処理、およびシーン削除処理を例に挙げて説明しているが、これら以外の映像編集処理が、タイムシフト再生中において録画中データに対して行われたとして、本発明と同様の効果が得られることは言うまでもない。
【００７３】
また、本実施の形態においては、タイムシフト再生中に映像情報に対して行った編集処理の反映を、録画処理の完了およびタイムシフト再生の終了をトリガーとして行っているが、これ以外のトリガー（例えばユーザー操作による編集内容の反映指示の検知）によって録画中データに対する編集処理の反映を行うようにしてもよい。
【図面の簡単な説明】
【００７４】
【図１】本発明の第一の実施形態における、タイムシフト再生中の映像編集処理の処理フロー図である。
【図２】本発明のＨＤＤレコーダの電気回路の要部構成を示したブロック図である。
【図３】本発明の第一の実施形態におけるタイムシフト再生画面の一例を示した画面図である。
【図４】本発明の第二の実施形態における、タイムシフト再生中の映像編集処理の処理フロー図である。
【図５】本発明の第二の実施形態におけるタイムシフト再生画面の一例を示した画面図である。
【図６】従来のタイムシフト再生画面の一例を示した画面図である。
【符号の説明】
【００７５】
１      ＨＤＤレコーダ（記録再生装置）
１１    制御部
１２    メモリ
１３    ＨＤＤ（記憶装置）
１９    ＯＳＤ生成部
２１    操作ボタン群
２２    フロントパネル
【図１】
2007310955.tif 000003
【図２】
2007310955.tif 000004
【図３】
2007310955.tif 000005
【図４】
2007310955.tif 000006
【図５】
2007310955.tif 000007
【図６】
2007310955.tif 000008